(57)【要約】【課題】  意図しない撮影が行われたことを当該撮影の時点で把握することのできる撮影システム及び撮影方法を得る。【解決手段】  外部からの指示に応じて撮影を実行し、これによって得られた画像情報を出力する複数のカメラ６２をテーマパーク内の予め定められた位置に設置しておき、当該テーマパークの来場者によって携帯されている携帯電話機３０により、少なくともカメラ６２に対する撮影の実行指示を示す撮影実行指示情報が含まれる撮影に関する指示情報を送信し、これに応じてカメラ６２から出力された撮影画像を示す画像情報を取得して、取得した画像情報により示される撮影画像を表示部３０Ｇにより表示する。【選択図】        図１
2007096855.tif 000002
【特許請求の範囲】
【請求項１】
予め定められた位置に設置されると共に、外部からの指示に応じて撮影を実行し、これによって得られた画像情報を出力する撮影装置と、
少なくとも前記撮影装置に対する撮影の実行指示を示す撮影実行指示情報が含まれる撮影に関する指示情報を送信する指示送信手段、前記指示送信手段により送信された前記撮影実行指示情報に応じて前記撮影装置から出力された撮影画像を示す画像情報を取得する画像取得手段、及び前記画像取得手段によって取得された前記画像情報により示される撮影画像を表示する表示手段を備えた通信端末装置と、
を含む撮影システム。
【請求項２】
前記通信端末装置を携帯電話機又は携帯情報端末としたことを特徴とする請求項１記載の撮影システム。
【請求項３】
前記指示送信手段によって送信された前記指示情報を受信する受信手段、前記受信手段によって前記指示情報が受信されたときに当該指示情報に応じた撮影が実行されるように前記撮影装置を制御する制御手段、前記制御手段による制御に応じて前記撮影装置から出力された前記画像情報を入力する入力手段、及び前記入力手段によって入力された前記画像情報を前記通信端末装置に送信する送信手段を備えた撮影制御装置を更に含み、
前記画像取得手段は、前記撮影制御装置の前記送信手段によって送信された画像情報を受信することにより前記撮影画像を示す画像情報を取得することを特徴とする請求項１又は請求項２記載の撮影システム。
【請求項４】
前記通信端末装置の位置を特定する位置特定手段を更に含み、
前記制御手段は、前記位置特定手段によって特定された位置と前記撮影装置の設置位置との間の距離が所定距離以上である場合に前記撮影装置による撮影を禁止することを特徴とする請求項３記載の撮影システム。
【請求項５】
前記撮影制御装置に、前記画像情報を記憶するための記憶手段を更に設けたことを特徴とする請求項１乃至請求項４の何れか１項記載の撮影システム。
【請求項６】
前記制御手段は、前記指示情報に応じた撮影が実行されていない所定のタイミングで撮影が実行されるように前記撮影装置を制御し、これによって当該撮影装置から出力された画像情報を前記記憶手段に記憶するように制御することを特徴とする請求項５記載の撮影システム。
【請求項７】
前記制御手段は、前記記憶手段に記憶された前記画像情報を解析して、解析結果を前記記憶手段に記憶することを特徴する請求項５又は請求項６記載の撮影システム。
【請求項８】
前記記憶手段によって記憶された前記画像情報を読み出す画像読出手段、及び前記画像読出手段によって読み出された前記画像情報により示される撮影画像を印刷する印刷手段を備えた画像印刷装置を更に含むことを特徴とする請求項５乃至請求項７の何れか１項記載の撮影システム。
【請求項９】
外部からの指示に応じて撮影を実行し、これによって得られた画像情報を出力する撮影装置を予め定められた位置に設置しておき、
通信端末装置により、少なくとも前記撮影装置に対する撮影の実行指示を示す撮影実行指示情報が含まれる撮影に関する指示情報を送信し、これに応じて前記撮影装置から出力された撮影画像を示す画像情報を取得し、取得した前記画像情報により示される撮影画像を表示する、
撮影方法。
【発明の詳細な説明】
【技術分野】
【０００１】
本発明は、撮影システム及び撮影方法に係り、特に、テーマパーク等に設置され、不特定多数の者の利用に供する撮影システム及び撮影方法に関する。
【背景技術】
【０００２】
従来より、テーマパーク、動物園、遊園地、観光地等のように、多くの人が来場する施設等において、希望者にカメラやビデオカメラを貸し出すサービスが行われている。また、当該施設等のなかに写真のプリントサービス所を設けておき、撮影した写真をすぐにプリントして利用者に提供することも行われている。
【０００３】
しかしながら、カメラやビデオカメラは高価なため、貸し出しに際して高額な供託金を要求する場合が多く、利用者にとって気軽に利用できるものではなかった。また、貸し出す側にとってもカメラの点検や調整等、機器の維持・管理に多大な労力を要する。また、プリントサービス所を設ける場合には、利用者が多くなると当該プリントサービス所において依頼者たるユーザと、当該ユーザによって所有される写真（ネガ、プリント、画像データ等）との関係を記述する作業が煩雑となり、円滑なサービスの提供が困難であった。
【０００４】
そこで、この問題を解決するために、本出願人による特許文献１には、被写体を撮像し、その画像を電子画像データに変換する撮像手段を有した電子カメラに、リモコン装置から発信される信号を受信するための信号受信手段を設ける一方、該電子カメラに対して撮影開始信号を与えることができるリモコン装置を複数台用意し、各リモコン装置にそれぞれ個別のＩＤ情報を設定すると共に、そのＩＤ情報を撮影開始信号に付加して発信するＩＤ情報発信手段を設け、撮影開始信号の受入に応じて取り込んだ画像情報と、当該撮影開始信号と共に受信したＩＤ情報とを関連付けて記録する技術が開示されている。
【０００５】
この技術により、カメラを多数のユーザが共用して使用でき、撮影操作も簡単で、ユーザ毎の画像情報管理を簡略化することができる。
【特許文献１】特開２０００−２３０１５公報
【発明の開示】
【発明が解決しようとする課題】
【０００６】
しかしながら、上記特許文献１に開示されている技術では、ユーザ（撮影者）がカメラによる撮影を行っている時点で当該カメラによる撮影状態を確認することができないので、撮影したい被写体が画角から外れてしまったり、意図しない被写体を撮影してしまったり、意図しない撮影状態（ズーム状態等）で撮影してしまう場合があり、これらの意図しない撮影が行われたことが写真プリントを受け取るまで把握することができない、という問題点があった。
【０００７】
本発明は上記問題点を解決するためになされたものであり、意図しない撮影が行われたことを当該撮影の時点で把握することのできる撮影システム及び撮影方法を提供することを目的とする。
【課題を解決するための手段】
【０００８】
上記目的を達成するために、本発明の撮影システムは、予め定められた位置に設置されると共に、外部からの指示に応じて撮影を実行し、これによって得られた画像情報を出力する撮影装置と、少なくとも前記撮影装置に対する撮影の実行指示を示す撮影実行指示情報が含まれる撮影に関する指示情報を送信する指示送信手段、前記指示送信手段により送信された前記撮影実行指示情報に応じて前記撮影装置から出力された撮影画像を示す画像情報を取得する画像取得手段、及び前記画像取得手段によって取得された前記画像情報により示される撮影画像を表示する表示手段を備えた通信端末装置と、を含んでいる。
【０００９】
本発明の撮影システムによれば、外部からの指示に応じて撮影を実行し、これによって得られた画像情報を出力する撮影装置が予め定められた位置に設置される。なお、上記撮影装置には、静止画像の撮影を行うものの他、動画像の撮影を行うものも含まれる。
【００１０】
一方、本発明では、通信端末装置により、少なくとも前記撮影装置に対する撮影の実行指示を示す撮影実行指示情報が含まれる撮影に関する指示情報が指示送信手段によって送信され、前記撮影実行指示情報に応じて前記撮影装置から出力された撮影画像を示す画像情報が画像取得手段によって取得され、取得された前記画像情報により示される撮影画像が表示手段によって表示される。なお、上記表示手段には、液晶ディスプレイ、有機ＥＬディスプレイ、プラズマ・ディスプレイ、ＣＲＴディスプレイ等の各種ディスプレイが含まれる。
【００１１】
このように、本発明の撮影システムによれば、外部からの指示に応じて撮影を実行し、これによって得られた画像情報を出力する撮影装置を予め定められた位置に設置しておき、通信端末装置により、少なくとも前記撮影装置に対する撮影の実行指示を示す撮影実行指示情報が含まれる撮影に関する指示情報を送信し、これに応じて前記撮影装置から出力された撮影画像を示す画像情報を取得して、取得した前記画像情報により示される撮影画像を表示しているので、表示された撮影画像を参照することにより、意図しない撮影が行われたことを当該撮影の時点で把握することができる。
【００１２】
なお、本発明は、前記通信端末装置を携帯電話機又は携帯情報端末としてもよい。
【００１３】
また、本発明は、前記指示送信手段によって送信された前記指示情報を受信する受信手段、前記受信手段によって前記指示情報が受信されたときに当該指示情報に応じた撮影が実行されるように前記撮影装置を制御する制御手段、前記制御手段による制御に応じて前記撮影装置から出力された前記画像情報を入力する入力手段、及び前記入力手段によって入力された前記画像情報を前記通信端末装置に送信する送信手段を備えた撮影制御装置を更に含み、前記画像取得手段は、前記撮影制御装置の前記送信手段によって送信された画像情報を受信することにより前記撮影画像を示す画像情報を取得するものとしてもよい。なお、上記受信手段による受信には、無線による受信の他、有線による受信も含まれる。また、上記送信手段による送信にも、無線による送信の他、有線による送信も含まれる。
【００１４】
特に、本発明は、前記通信端末装置の位置を特定する位置特定手段を更に含み、前記制御手段は、前記位置特定手段によって特定された位置と前記撮影装置の設置位置との間の距離が所定距離以上である場合に前記撮影装置による撮影を禁止するものとしてもよい。なお、上記位置特定手段による位置の特定には、ＧＰＳ（Global Positioning Systems）を利用した特定の他、通信端末装置が携帯電話機である場合の当該携帯電話機を用いた従来既知の位置特定サービスを利用した特定が含まれる。
【００１５】
また、本発明は、前記撮影制御装置に、前記画像情報を記憶するための記憶手段を更に設けてもよい。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia（登録商標））、フレキシブル・ディスク等の可搬型の記録媒体やハードディスク等の固定型の記録媒体、或いはネットワークに接続されたサーバ・コンピュータ等に設けられた外部記憶装置が含まれる。
【００１６】
また、本発明の前記制御手段は、前記指示情報に応じた撮影が実行されていない所定のタイミングで撮影が実行されるように前記撮影装置を制御し、これによって当該撮影装置から出力された画像情報を前記記憶手段に記憶するように制御するものとしてもよい。
【００１７】
また、本発明の前記制御手段は、前記記憶手段に記憶された前記画像情報を解析して、解析結果を前記記憶手段に記憶するものとしてもよい。
【００１８】
更に、本発明は、前記記憶手段によって記憶された前記画像情報を読み出す画像読出手段、及び前記画像読出手段によって読み出された前記画像情報により示される撮影画像を印刷する印刷手段を備えた画像印刷装置を更に含むものとしてもよい。
【００１９】
一方、上記目的を達成するために、本発明の撮影方法は、外部からの指示に応じて撮影を実行し、これによって得られた画像情報を出力する撮影装置を予め定められた位置に設置しておき、通信端末装置により、少なくとも前記撮影装置に対する撮影の実行指示を示す撮影実行指示情報が含まれる撮影に関する指示情報を送信し、これに応じて前記撮影装置から出力された撮影画像を示す画像情報を取得し、取得した前記画像情報により示される撮影画像を表示するものである。
【００２０】
従って、本発明の撮影方法によれば、本発明の撮影システムと同様に作用するので、当該撮影システムと同様に、意図しない撮影が行われたことを当該撮影の時点で把握することができる。
【発明の効果】
【００２１】
本発明によれば、外部からの指示に応じて撮影を実行し、これによって得られた画像情報を出力する撮影装置を予め定められた位置に設置しておき、通信端末装置により、少なくとも前記撮影装置に対する撮影の実行指示を示す撮影実行指示情報が含まれる撮影に関する指示情報を送信し、これに応じて前記撮影装置から出力された撮影画像を示す画像情報を取得して、取得した前記画像情報により示される撮影画像を表示しているので、表示された撮影画像を参照することにより、意図しない撮影が行われたことを当該撮影の時点で把握することができる、という効果が得られる。
【発明を実施するための最良の形態】
【００２２】
以下、図面を参照して、本発明を実施するための最良の形態について詳細に説明する。なお、ここでは、本発明を、テーマパークの複数のアトラクションにおいて撮影を行う撮影システムに適用した場合について説明する。
【００２３】
まず、図１を参照して、本発明が適用された撮影システム１０の構成を説明する。
【００２４】
同図に示すように、本実施の形態に係る撮影システム１０は、当該システム１０の運営者が所有するサーバ装置２０と、日本全国各地に点在するＤＰＥ（Develop Print Enlargement）店（以下、「ラボ店」という。）の店内に設置されているクライアント装置４０と、上記テーマパークの予め定められたアトラクション毎に設けられたカメラ部６０と、が各々モデム、ルータ、ＴＡ（Terminal Adapter：ターミナル・アダプタ）等の接続装置７０を介してネットワーク１２（本実施の形態では、インターネット）に接続されると共に、上記テーマパークへの来場者が各々所有する携帯電話機３０を含んで構成されている。
【００２５】
ここで、各クライアント装置４０には、入力された画像データにより示される画像を印画紙に印刷して写真プリントを作成するプリント作成装置４２が接続されている。
【００２６】
また、各クライアント装置４０には、各種情報を入力するためのキーボード、マウス（ポインティング・デバイス）等の入力装置、各種メニュー画面や処理結果等を表示するためのモニタ（ディスプレイ）、及びネットワーク１２を介して外部装置との間で各種情報の授受を行う入出力ポート４０Ａが備えられている。なお、このハードウェア構成は一般的なものであるので、ここでの詳細な説明は省略する。
【００２７】
本実施の形態に係るサーバ装置２０はＷＷＷ（World Wide Web）サーバとして機能し、クライアント装置４０はＷＷＷクライアントとして機能する。
【００２８】
すなわち、クライアント装置４０には、ＷＷＷブラウザがインストールされており、このＷＷＷブラウザを起動することにより、ネットワーク１２を介してサーバ装置２０に任意にアクセスすることができる。このとき、アクセス位置はＵＲＬ（Uniform Resource Locator）で指定される。なお、クライアント装置４０の識別には、ＩＰ（Internet Protocol）アドレスが用いられるが、ＵＲＬ等の他の位置指定のコードを用いてもよい。
【００２９】
一方、ネットワーク１２には、各国又は各地域の電話会社が構築・提供する公衆電話網１４がゲートウェイ・システム５０によって相互接続されている。なお、公衆電話網１４には、例えば、ＰＳＴＮ（Public Switched Telephone Network）やＩＳＤＮ（Integrated Service Digital Network）が含まれる。
【００３０】
また、電話網として、さらに、ＰＤＣ（Personal Digital Cellular）やＰＨＳ（Personal Handy-phone System）など各種形式の無線電話網１４Ａ、１４Ｂを含んでいる。なお、無線電話網１４Ａ、１４Ｂは、携帯電話機３０に対するデータの送受信機能、発信番号の認証機能等の機能サービスを提供することができる。
【００３１】
このように、ネットワーク１２と、無線電話網１４Ａ又は無線電話網１４Ｂを通信回線として利用すると共に、携帯電話機３０を携帯することによって、来場者は、モバイル環境下において各種情報をサーバ装置２０に登録することができると共に、サーバ装置２０に登録されている各種情報を参照することができる。
【００３２】
一方、カメラ部６０にはズーム撮影機能を有するカメラ６２が備えられており、対応するアトラクション及び来場者がカメラ６２の画角内に収まる位置に設置されている。特に、本実施の形態に係るカメラ部６０は、足場がない場所や、通常、来場者が立ち入ることのできない場所に設置されており、撮影された画像の付加価値を高めるようにしている。なお、図２には、ジェットコースター６８及び来場者６６を撮影対象としたカメラ部６０の設置状態の一例が示されている。
【００３３】
また、カメラ部６０には、カメラ６２の撮影レンズの向きを調整するパン・チルト機構６４が設けられている。なお、カメラ６２及びパン・チルト機構６４がネットワーク１２を介してサーバ装置２０に接続されており、サーバ装置２０は、カメラ６２やパン・チルト機構６４の作動の制御、及びカメラ６２による撮像や撮影によって取得された被写体像を示す画像データを入力することができる。
【００３４】
次に、図３を参照して、本実施の形態に係るサーバ装置２０の電気系の要部構成を説明する。
【００３５】
同図に示すように、本実施の形態に係るサーバ装置２０は、サーバ装置２０全体の動作を司るＣＰＵ（中央処理装置）２０Ａと、ＣＰＵ２０Ａによる各種処理プログラムの実行時のワークエリア等として用いられるＲＡＭ２０Ｂと、各種制御プログラムや各種パラメータ等が予め記憶されたＲＯＭ２０Ｃと、各種情報を記憶するために用いられるハードディスク２０Ｄと、各種情報を入力するために用いられるキーボード２０Ｅと、各種情報を表示するために用いられるディスプレイ２０Ｆと、ネットワーク１２を介して外部装置との間で各種情報の授受を行う入出力ポート２０Ｇと、が備えられており、これら各部はシステムバスＢＵＳにより相互に接続されている。
【００３６】
従って、ＣＰＵ２０Ａは、ＲＡＭ２０Ｂ、ＲＯＭ２０Ｃ、及びハードディスク２０Ｄに対するアクセス、キーボード２０Ｅを介した各種入力情報の取得、ディスプレイ２０Ｆに対する各種情報の表示、及び入出力ポート２０Ｇを介したネットワーク１２に接続された装置との間の各種情報の授受、を各々行うことができる。
【００３７】
一方、図４には、サーバ装置２０に備えられたハードディスク２０Ｄの主な記憶内容が模式的に示されている。同図に示すように、ハードディスク２０Ｄには、各種データベースを記憶するためのデータベース領域ＤＢと、サーバ装置２０によって各種処理を行うための処理プログラム等を予め記憶したプログラム領域ＰＧと、が設けられている。
【００３８】
また、データベース領域ＤＢには、撮影システム１０の利用者（以下、「ユーザ」という。）に関する情報を記憶するためのユーザ管理データベースＤＢ１と、各カメラ部６０に関する情報を記憶するためのカメラ管理データベースＤＢ２と、ユーザにより各カメラ部６０を用いて撮影された画像に関する情報を記憶するためのユーザ撮影画像管理データベースＤＢ３と、予め定められたタイミングで各カメラ部６０を用いて撮影された画像に関する情報を記憶するための定期撮影画像管理データベースＤＢ４と、が含まれる。以下、これらのデータベースの構成について、図面を参照しつつ詳細に説明する。
【００３９】
図５（Ａ）に示すように、本実施の形態に係るユーザ管理データベースＤＢ１は、ユーザＩＤ（Identification）及びパスワードの各情報が記憶されるように構成されている。
【００４０】
なお、上記ユーザＩＤは、撮影システム１０の利用者として登録されたユーザを識別するためにユーザ毎に異なるデータとして予め付与されるものである。また、上記パスワードは、対応するユーザの認証用に当該ユーザによって入力されるものである。
【００４１】
一方、図５（Ｂ）に示すように、本実施の形態に係るカメラ管理データベースＤＢ２は、カメラＩＤ、設置アトラクション、設置位置、及び使用状況の各情報が記憶されるように構成されている。
【００４２】
なお、上記カメラＩＤは、テーマパークに設置されたカメラ部６０を識別するためにカメラ部６０毎に異なるデータとして予め付与されるものである。また、上記設置アトラクションは、対応するカメラ部６０の撮影対象とされているアトラクションの名称を示す情報であり、上記設置位置は、対応するカメラ部６０が設置されている位置を示す情報（本実施の形態では、緯度情報及び経度情報）であり、更に、上記使用状況は、対応するカメラ部６０が使用されているか否かを示す情報である。
【００４３】
一方、図５（Ｃ）に示すように、本実施の形態に係るユーザ撮影画像管理データベースＤＢ３は、ユーザＩＤ、撮影日時、撮影カメラ、及び画像データの各情報が記憶されるように構成されている。
【００４４】
なお、上記ユーザＩＤは、撮影者を特定するための情報であり、ユーザ管理データベースＤＢ１に登録されているものと同様のものである。また、上記撮影日時は、対応する画像データを得るために行われた撮影の日時を示す情報であり、上記撮影カメラは、当該撮影に用いたカメラ部６０を特定するための情報であり、カメラ管理データベースＤＢ２に登録されているものと同様のものである。更に、上記画像データは、対応するユーザにより、対応するカメラ部６０によって、対応する日時に撮影された画像（被写体像）を示すデータである。
【００４５】
一方、図５（Ｄ）に示すように、本実施の形態に係る定期撮影画像管理データベースＤＢ４は、カメラＩＤ、撮影日時、及び画像データの各情報が記憶されるように構成されている。
【００４６】
なお、上記カメラＩＤは、撮影に用いたカメラ部６０を特定するための情報であり、カメラ管理データベースＤＢ２に登録されているものと同様のものである。また、上記撮影日時は、対応する画像データを得るために行われた撮影の日時を示す情報であり、更に、上記画像データは、対応するカメラ部６０によって、対応する日時に撮影された画像（被写体像）を示すデータである。
【００４７】
本実施の形態に係るユーザ撮影画像管理データベースＤＢ３及び定期撮影画像管理データベースＤＢ４では、図５（Ｃ）及び図５（Ｄ）に示されるように、画像データ欄に画像データそのものを登録するものとしているが、これに限らず、当該画像データを他の記憶装置や他の記憶領域に記憶しておき、当該画像データの所在位置を示すパス（Path）及び画像ファイル名を画像データ欄に登録する形態等とすることもできる。
【００４８】
一方、図６には、携帯電話機３０における本発明に特に関係する部分の電気系の構成が示されている。
【００４９】
同図に示すように、携帯電話機３０は、携帯電話機３０全体の動作を司るＣＰＵ３０Ａと、各種制御プログラムやパラメータ等を記憶したＲＯＭ３０Ｂと、各種制御プログラムの実行時におけるワークエリア等として用いられるＲＡＭ３０Ｃと、通話の際の音声通信とパケット交換によるデータ通信とに応じて制御を切り換え、各々の通信プロトコルに対応した通信制御を行う通信制御部３０Ｄと、テンキーその他のキーに対する押圧操作を検出して該操作に応じた信号をＣＰＵ３０Ａに出力する操作部３０Ｆと、ＣＰＵ３０Ａから供給される表示データに応じて各種情報を表示する表示部３０Ｇと、マイクロホンによって取り込まれる音声信号をデジタル音声データに変換する一方、受信したデジタル音声データをアナログ音声信号に変換してスピーカより放音する音声入出力部３０Ｈと、ＧＰＳ衛星からの電波を受信する不図示のアンテナが内蔵されると共に当該アンテナによって受信した信号を処理して位置情報（本実施の形態では、経度及び緯度の２次元の情報）を取得するＧＰＳ制御回路３０Ｉと、がシステムバスＢｕｓ２によって相互に接続されて構成されている。
【００５０】
なお、通信制御部３０Ｄには、通信制御部３０Ｄの制御下で送信用の音声データ又はパケットデータによって搬送波を変調し、これを無線信号としてアンテナより送信する一方、アンテナより受信された無線信号を復調して音声データ又はパケットデータを復元する送受信器３０Ｅが接続されている。
【００５１】
一方、図７には、カメラ６２における本発明に特に関係する部分の構成が示されている。
【００５２】
同図に示すように、カメラ６２には、被写体像を結像させるためのレンズ６２Ａと、レンズ６２Ａの光軸後方に配置されかつレンズ６２Ａによって結像された被写体像を撮像してアナログ画像信号として出力するＣＣＤ（Charge Coupled Device）６２Ｂと、ＣＣＤ６２Ｂから出力されたアナログ画像信号をデジタル画像データに変換するＡ／Ｄコンバータ６２Ｃと、Ａ／Ｄコンバータ６２Ｃによって得られたデジタル画像データに対して各種信号処理を行う信号処理ユニット６２Ｋと、主として撮影によって得られたデジタル画像データを一時的に記憶するＳＤＲＡＭ（Synchronous Dynamic RAM）６２Ｅ及び各種制御プログラムや所定のパラメータ等を予め記憶したＲＯＭ６２Ｆを含んで構成された内蔵メモリ６２Ｄと、ネットワーク１２を介して外部装置との間で各種情報の授受を行う入出力ポート６２Ｇと、が備えられている。なお、信号処理ユニット６２Ｋは１チップＬＳＩ（Large Scale Integrated circuit）として構成されており、これによってカメラ６２の小型化、高信頼性化、及び低コスト化が図られている。
【００５３】
一方、信号処理ユニット６２Ｋには、カメラ６２全体の動作を司るＣＰＵ６２Ｈと、Ｒ（赤）、Ｇ（緑）、Ｂ（青）のデジタル画像データを輝度信号データ及び色差信号データに変換する処理や、上記デジタル画像データに対してエッジ強調処理やシャープネス処理等の各種画像処理を施す画像処理部６２Ｉと、デジタル画像データに対する所定の画像圧縮形式による圧縮処理や圧縮されたデジタル画像データを圧縮形式に応じた伸張形式で伸張する画像圧縮伸張部６２Ｊと、内蔵メモリ６２Ｄとの間で各種情報の授受を制御する内蔵メモリコントローラ６２Ｌと、が備えられている。
【００５４】
信号処理ユニット６２Ｋにおいて、ＣＰＵ６２Ｈは、画像処理部６２Ｉ、画像圧縮伸張部６２Ｊ、及び内蔵メモリコントローラ６２Ｌと相互に接続されており、これら各部の作動を制御することができると共に、該各部において取り扱われる各種データの入・出力を行うことができる。
【００５５】
一方、信号処理ユニット６２ＫにはＡ／Ｄコンバータ６２Ｃが接続されており、Ａ／Ｄコンバータ６２Ｃによって得られたデジタル画像データに対して、画像処理部６２Ｉにより各種画像処理が施され、画像圧縮伸張部６２Ｊにより圧縮処理が施される。
【００５６】
また、信号処理ユニット６２Ｋには入出力ポート６２Ｇが接続されており、ＣＰＵ６２Ｈは、入出力ポート６２Ｇを介したネットワーク１２に接続された装置との間の各種情報の授受を行うことができる。
【００５７】
更に、信号処理ユニット６２Ｋの内蔵メモリコントローラ６２Ｌには内蔵メモリ６２Ｄが接続されており、ＣＰＵ６２Ｈは、内蔵メモリ６２Ｄへの内蔵メモリコントローラ６２Ｌを介したアクセスを行うことができる。
【００５８】
次に、本実施の形態に係る撮影システム１０の作用を説明する。
【００５９】
まず、図８を参照して、ユーザ登録処理を実行する際のサーバ装置２０の作用を説明する。なお、図８は、撮影システム１０の運営者がネットワーク１２上で公開しているホームページ上で何れかの携帯電話機３０からユーザ登録の実行の指示が入力された際にサーバ装置２０のＣＰＵ２０Ａによって実行されるユーザ登録処理プログラムの処理の流れを示すフローチャートであり、当該プログラムはハードディスク２０Ｄのプログラム領域ＰＧに予め記憶されている。
【００６０】
同図のステップ１００では、ユーザ管理データベースＤＢ１に未登録のユーザＩＤを生成し、次のステップ１０２にて、予め定められたユーザ情報登録画面を表示させるための画像情報をアクセス元の携帯電話機３０に送信することにより、当該携帯電話機３０の表示部３０Ｇにユーザ情報登録画面を表示させた後、次のステップ１０４にて、所定情報の受信待ちを行う。
【００６１】
図９には、上記ステップ１０２の処理によってアクセス元の携帯電話機３０の表示部３０Ｇによって表示されるユーザ情報登録画面の表示状態例が示されている。同図に示されるように、本実施の形態に係るユーザ情報登録画面では、上記ステップ１００の処理によって生成したユーザＩＤと、パスワードの入力を促すメッセージが表示されると共に、当該パスワードを入力するための矩形枠が表示される。同図に示されるようなユーザ情報登録画面が表示されると、当該携帯電話機３０のユーザは、表示されたユーザＩＤを、メモを取る等して記憶（記録）した後、所望のパスワードを上記矩形枠に入力する操作を操作部３０Ｆに対して行い、その後に当該画面の最下に表示されている入力終了ボタンを指定する操作を操作部３０Ｆに対して行う。これに応じて、ユーザによって入力されたパスワードを示す情報が公衆電話網１４、ネットワーク１２を介してサーバ装置２０に送信される結果、上記ステップ１０４が肯定判定となってステップ１０６に移行する。
【００６２】
ステップ１０６では、上記ステップ１０４において受信されたパスワードを上記ステップ１００の処理によって生成したユーザＩＤに対応付けてユーザ管理データベースＤＢ１に記憶（登録）し、その後に本ユーザ登録処理プログラムを終了する。
【００６３】
以上のユーザ登録処理プログラムの実行により、ユーザ管理データベースＤＢ１が逐次構築されることになる。
【００６４】
次に、図１０を参照して、撮影処理を実行する際のサーバ装置２０の作用を説明する。なお、図１０は、撮影システム１０の運営者がネットワーク１２上で公開している上記ホームページ上で何れかの携帯電話機３０から撮影処理の実行の指示が入力された際にサーバ装置２０のＣＰＵ２０Ａによって実行される撮影処理プログラムの処理の流れを示すフローチャートであり、当該プログラムもハードディスク２０Ｄのプログラム領域ＰＧに予め記憶されている。
【００６５】
同図のステップ２００では、予め定められたユーザ情報入力画面を表示させるための画像情報をアクセス元の携帯電話機３０（以下、「処理対象携帯電話機」という。）に送信することにより、当該処理対象携帯電話機の表示部３０Ｇにユーザ情報入力画面を表示させた後、次のステップ２０２にて、所定情報の受信待ちを行う。
【００６６】
図１１には、上記ステップ２００の処理によって処理対象携帯電話機の表示部３０Ｇにより表示されるユーザ情報入力画面の表示状態例が示されている。同図に示されるように、本実施の形態に係るユーザ情報入力画面では、ユーザＩＤ、パスワード、及び撮影に使用するカメラ部６０（以下、「処理対象カメラ部」という。）の入力を促すメッセージが表示されると共に、これらの情報を入力するための矩形枠が表示される。同図に示されるようなユーザ情報入力画面が表示されると、処理対象携帯電話機のユーザは、ユーザ情報登録画面（図９も参照。）によって提示されたユーザＩＤと、当該ユーザ情報登録画面によって入力したパスワードと、処理対象カメラ部の予め定められた識別情報（ここでは、カメラＩＤ）とを、対応する矩形枠に入力する操作を操作部３０Ｆに対して行い、その後に当該画面の最下に表示されている入力終了ボタンを指定する操作を操作部３０Ｆに対して行う。これに応じて、ユーザによって入力されたユーザＩＤ、パスワード、及びカメラＩＤを示す情報が公衆電話網１４、ネットワーク１２を介してサーバ装置２０に送信される結果、上記ステップ２０２が肯定判定となってステップ２０４に移行する。
【００６７】
なお、本実施の形態に係る撮影システム１０では、テーマパークに入場する際に、各カメラ部６０の設置位置と、当該カメラ部６０に予め付与されたカメラＩＤを示す情報が記載されたものが来場者に配布されており、これを参照して処理対象カメラ部のカメラＩＤを入力するものとしているが、これに限らず、例えば、これらの情報を上記ホームページで公開しておき、これを参照して入力する形態等とすることもできる。
【００６８】
ステップ２０４では、上記ステップ２０２において受信されたユーザＩＤに対応するパスワードをユーザ管理データベースＤＢ１から読み出し、当該パスワードと上記ステップ２０２において受信されたパスワードが一致するか否かを判定することにより、処理対象携帯電話機のユーザの認証を行い、肯定判定となった場合はステップ２０６に移行して、上記ステップ２０２において受信されたカメラＩＤによって示される処理対象カメラ部に対応する使用状況を示す情報をカメラ管理データベースＤＢ２から読み出し、当該処理対象カメラ部が未使用であるか否かを判定して、肯定判定となった場合はステップ２０８に移行する。
【００６９】
ステップ２０８では、カメラ部６０の使用法に関する情報を表示させるための使用法情報を処理対象携帯電話機に送信することにより、当該処理対象携帯電話機の表示部３０Ｇに使用法提示画面を表示させる。図１２には、これによって表示部３０Ｇに表示される使用法提示画面の表示状態例が示されている。同図に示されるように、当該使用法提示画面では、カメラ部６０に対する操作と、当該操作の際に押圧するキーを示す画面が表示される。これにより、処理対象携帯電話機のユーザは、カメラ部６０の操作法を把握することができる。
【００７０】
また、ステップ２０８では、処理対象携帯電話機に対してカメラ部６０を操作する際に押圧されるキーの押圧状態を示す情報や、携帯電話機３０に内蔵されたＧＰＳ制御回路３０Ｉによって取得されている位置情報等の所定情報をサーバ装置２０に対して送信させるプログラムをダウンロードすることにより、当該情報を送信するように処理対象携帯電話機に設定する。これにより、これ以降、当該情報が処理対象携帯電話機からサーバ装置２０に対して送信されることになる。
【００７１】
次のステップ２１０では、処理対象カメラ部に対応する設置位置を示す情報をカメラ管理データベースＤＢ２から読み出し、当該情報により示される処理対象カメラ部の設置位置と、処理対象携帯電話機から送信された情報に含まれる位置情報によって示される処理対象携帯電話機の位置との間の距離を算出し、次のステップ２１２にて、当該距離が所定距離（ここでは、１ｋｍ）以上であるか否かを判定して、肯定判定となった場合はステップ２１４に移行する。
【００７２】
ステップ２１４では、処理対象カメラ部に対して撮像動作を開始させ、次のステップ２１６にて、これによって処理対象カメラ部から受信される撮像画像を示す画像データの処理対象携帯電話機への転送を開始することにより、処理対象携帯電話機の表示部３０Ｇに対する処理対象カメラ部による撮像画像の表示を開始させる。なお、ステップ２１６では、処理対象カメラ部に対応するカメラ管理データベースＤＢ２の使用状況を示す情報を「使用中」に変更する処理も行う。
【００７３】
当該撮像画像の表示が開始されると処理対象携帯電話機のユーザは、上記使用法提示画面によって把握した使用法にて処理対象カメラ部を操作（ここでは、ズーム操作、パン／チルト操作、及び撮影操作）するので、次のステップ２１８では、処理対象携帯電話機からの当該操作が行われた際に送信される情報の受信待ちを行い、次のステップ２２０では、受信された情報が撮影操作を示す情報であったか否かを判定することにより、撮影が指示されたか否かを判定し、否定判定となった場合は撮影操作以外の操作が指示されたものと見なしてステップ２２２に移行し、受信された情報によって示される操作が実行されるように、処理対象カメラ部におけるカメラ６２やパン・チルト機構６４を制御し、その後に上記ステップ２１８に戻る。
【００７４】
以上のステップ２１８〜ステップ２２２の繰り返し処理によって、処理対象携帯電話機による処理対象カメラ部に対する撮影操作以外の遠隔操作（ここでは、ズーム操作及びパン／チルト操作）を実現できる。
【００７５】
一方、上記ステップ２２０において肯定判定となった場合にはステップ２２４に移行して、撮影処理の実行指示を処理対象カメラ部のカメラ６２に送信し、次のステップ２２６にて、処理対象カメラ部からの所定情報の受信待ちを行う。処理対象カメラ部のカメラ６２は、サーバ装置２０から上記撮影処理の実行指示が受信されると撮影処理を実行し、当該撮影処理によって取得された画像データ（ここでは、画像圧縮伸張部６２Ｊによって圧縮されたデジタル画像データ）をサーバ装置２０に送信する。これに応じて上記ステップ２２６が肯定判定となってステップ２２８に移行する。
【００７６】
ステップ２２８では、処理対象カメラ部から受信した画像データを、処理対象携帯電話機のユーザのユーザＩＤ、この時点の日時、処理対象カメラ部のカメラＩＤの各情報に対応付けてユーザ撮影画像管理データベースＤＢ３に記憶（登録）する。
【００７７】
次のステップ２３０では、上記ステップ２１６にて開始した撮像画像を示す画像データの処理対象携帯電話機への転送を停止し、次のステップ２３２にて、上記ステップ２２８の処理によってユーザ撮影画像管理データベースＤＢ３に登録した画像データを処理対象携帯電話機に送信する。これにより、処理対象携帯電話機の表示部３０Ｇには撮影画像（サーバ装置２０にて登録された画像）が表示されるので、当該画像を参照することにより、処理対象携帯電話機のユーザは意図しない撮影が行われたことを撮影の時点で把握することができる。なお、図１３には、このとき処理対象携帯電話機の表示部３０Ｇによって表示される撮影画像の表示状態例が示されている。ここで、図１３（Ａ）はズーム操作を行わずに撮影した場合の表示状態例が、図１３（Ｂ）はズームアップして撮影した場合の表示状態例が、各々示されている。
【００７８】
次のステップ２３４では、上記ステップ２１４にて開始した処理対象カメラ部の撮像動作を停止させ、その後に本撮影処理プログラムを終了する。なお、上記ステップ２３４では、処理対象カメラ部に対応するカメラ管理データベースＤＢ２の使用状況を示す情報を「未使用」に変更する処理も行う。
【００７９】
一方、上記ステップ２０４にて否定判定となった場合、上記ステップ２０６にて否定判定となった場合、及び上記ステップ２１２にて否定判定となった場合はステップ２３６に移行し、撮影システム１０を利用することができない旨をユーザに対し処理対象携帯電話機を介して報知し、その後に本撮影処理プログラムを終了する。
【００８０】
以上の撮影処理プログラムの実行により、ユーザ撮影画像管理データベースＤＢ３が逐次構築されていくので、撮影画像を登録したユーザは、携帯電話機３０の通信制御部３０Ｄを介して自身が登録した撮影画像を示す画像データを読み出す（ダウンロードする）ことや、読み出した画像データによって示される撮影画像を表示部３０Ｇによって表示することができる。また、当該ユーザがラボ店（図１参照。）に出向いてクライアント装置４０を介して自身が登録した撮影画像を示す画像データを読み出す（ダウンロードする）ことにより、当該クライアント装置４０に接続されているプリント作成装置４２によって当該画像データにより示される撮影画像の写真プリントを作成することができる。
【００８１】
次に、図１４を参照して、定期撮影処理を実行する際のサーバ装置２０の作用を説明する。なお、図１４は、所定期間（本実施の形態では、テーマパークが開園している時間内における１０分間）毎にサーバ装置２０のＣＰＵ２０Ａによって実行される定期撮影処理プログラムの処理の流れを示すフローチャートであり、当該プログラムもハードディスク２０Ｄのプログラム領域ＰＧに予め記憶されている。
【００８２】
同図のステップ３００では、何れか１つのカメラ部６０を処理対象カメラ部として、当該処理対象カメラ部に対応する使用状況を示す情報をカメラ管理データベースＤＢ２から読み出し、当該処理対象カメラ部が未使用であるか否かを判定して、肯定判定となった場合はステップ３０２に移行する。
【００８３】
ステップ３０２では、撮影処理の実行指示を処理対象カメラ部のカメラ６２に送信し、次のステップ３０４にて、処理対象カメラ部からの所定情報の受信待ちを行う。処理対象カメラ部のカメラ６２は、サーバ装置２０から上記撮影処理の実行指示が受信されると撮影処理を実行し、当該撮影処理によって取得された画像データ（ここでは、画像圧縮伸張部６２Ｊによって圧縮されたデジタル画像データ）をサーバ装置２０に送信する。これに応じて上記ステップ３０４が肯定判定となってステップ３０６に移行する。
【００８４】
ステップ３０６では、処理対象カメラ部から受信した画像データを、処理対象カメラ部のカメラＩＤ、この時点の日時の各情報に対応付けて定期撮影画像管理データベースＤＢ４に記憶（登録）し、その後にステップ３０８に移行する。なお、上記ステップ３００において否定判定となった場合には、上記ステップ３０２〜ステップ３０６の処理を実行することなくステップ３０８に移行する。
【００８５】
ステップ３０８では、テーマパークに設置されている全てのカメラ部６０について上記ステップ３００〜ステップ３０６の処理が終了したか否かを判定し、否定判定となった場合は上記ステップ３００に戻り、肯定判定となった時点でステップ３１０に移行する。なお、上記ステップ３００〜ステップ３０８の処理を繰り返し実行する場合には、それまでに処理対象としなかったカメラ部６０を処理対象カメラ部として適用するようにする。
【００８６】
以上のステップ３００〜ステップ３０８の繰り返し処理により、テーマパーク内に設置されている、未使用とされている全てのカメラ部６０により、定期的に撮影を行うと共に、当該撮影によって得られた画像データが定期撮影画像管理データベースＤＢ４に登録される。従って、撮影システム１０のユーザは、携帯電話機３０の通信制御部３０Ｄを介して定期撮影画像管理データベースＤＢ４から登録された撮影画像を示す画像データを読み出す（ダウンロードする）ことや、読み出した画像データによって示される撮影画像を表示部３０Ｇによって表示することができる結果、テーマパーク内の各アトラクションの混み具合や、稼働状況等を把握することができる。
【００８７】
ステップ３１０では、定期撮影画像管理データベースＤＢ４に新たに登録した画像データに対して所定の画像解析を行い、次のステップ３１２にて、当該画像解析の結果を示す情報をハードディスク２０Ｄの所定領域に記憶し、その後に本定期撮影処理プログラムを終了する。
【００８８】
なお、本実施の形態に係る定期撮影処理プログラムでは、上記所定の画像解析として、従来既知の技術により撮影画像から人の領域を抽出し、当該領域の大きさに応じて撮影対象とされているアトラクションを利用しようとしている人の人数を推定する解析を適用している。従って、撮影システム１０のユーザは、携帯電話機３０の通信制御部３０Ｄを介してハードディスク２０Ｄに記憶された当該解析の結果を示す情報を参照することにより、テーマパーク内の各アトラクションの混み具合や、稼働状況等を容易に把握することができる。
【００８９】
以上詳細に説明したように、本実施の形態では、外部からの指示に応じて撮影を実行し、これによって得られた画像情報を出力する撮影装置（ここでは、カメラ６２）を予め定められた位置に設置しておき、通信端末装置（ここでは、携帯電話機３０）により、少なくとも前記撮影装置に対する撮影の実行指示を示す撮影実行指示情報が含まれる撮影に関する指示情報を送信し、これに応じて前記撮影装置から出力された撮影画像を示す画像情報を取得して、取得した前記画像情報により示される撮影画像を表示しているので、表示された撮影画像を参照することにより、意図しない撮影が行われたことを当該撮影の時点で把握することができる。
【００９０】
また、本実施の形態では、前記通信端末装置として携帯電話機を適用しているので、通信端末装置として新たな装置を用意する必要がないため、低コストで撮影システムを構成することができる。
【００９１】
また、本実施の形態では、前記通信端末装置によって送信された前記指示情報が受信されたときに当該指示情報に応じた撮影が実行されるように前記撮影装置を制御した後、当該制御に応じて前記撮影装置から出力された前記画像情報を入力し、入力した前記画像情報を前記通信端末装置に送信する撮影制御装置（ここでは、サーバ装置２０）を更に備えているので、当該撮影制御装置を備えない場合に比較して、前記撮影装置の制御や、撮影システムを利用して取得された画像情報等の各種情報の管理を容易に行うことができる。
【００９２】
特に、本実施の形態では、前記撮影制御装置により、前記通信端末装置の位置を特定し、特定した位置と前記撮影装置の設置位置との間の距離が所定距離以上である場合に前記撮影装置による撮影を禁止しているので、撮影システムの設置位置から遠く離れた位置からの当該撮影システムの不正な利用を防止することができる。
【００９３】
また、本実施の形態では、前記撮影制御装置に、前記画像情報を記憶するための記憶手段（ここでは、ハードディスク２０Ｄ）が設けられているので、撮影枚数の制限を大幅に緩和することができる。
【００９４】
また、本実施の形態では、前記指示情報に応じた撮影が実行されていない所定のタイミングで撮影が実行されるように前記撮影装置を制御し、これによって当該撮影装置から出力された画像情報を前記記憶手段に記憶するように制御しているので、前記撮影装置を有効利用することができる。
【００９５】
また、本実施の形態では、前記記憶手段に記憶された前記画像情報を解析して、解析結果を前記記憶手段に記憶しているので、当該解析結果を参照することにより、前記撮影装置による撮影画角内の状況を容易に把握することができる結果、利便性を向上させることができる。
【００９６】
更に、本実施の形態では、前記記憶手段によって記憶された前記画像情報を読み出し、読み出した前記画像情報により示される撮影画像を印刷する印刷手段（ここでは、プリント作成装置４２）を備えた画像印刷装置（ここでは、クライアント装置４０）を更に備えているので、前記画像情報により示される撮影画像を容易に印刷することができる。
【００９７】
なお、本実施の形態では、本発明の通信端末装置として携帯電話機３０を適用した場合について説明したが、本発明はこれに限定されるものではなく、例えば、ＰＤＡ（Personal Digital Assistant；携帯情報端末）を適用する形態とすることもできる。この場合も、本実施の形態と同様の効果を奏することができる。
【００９８】
また、本実施の形態では、定期撮影処理プログラムによって実行される画像解析として、アトラクションを利用しようとしている人の人数を推定する解析を適用した場合について説明したが、本発明はこれに限定されるものではなく、例えば、迷子を発見する解析を適用する形態とすることもできる。この場合の解析の例としては、着衣の色、背の高さ、靴の色といった発見対象とする迷子の特徴を示す情報を入力し、当該情報によって示される特徴に合致する領域を上記迷子を示す領域として、解析対象とする撮影画像から従来既知の画像抽出技術によって抽出する解析を例示することができる。この場合も、本実施の形態と同様の効果を奏することができる。
【００９９】
また、本実施の形態では、携帯電話機３０とカメラ部６０との間にサーバ装置２０を介在させた場合について説明したが、本発明はこれに限定されるものではなく、例えば、サーバ装置２０を介在させることなく、携帯電話機３０からカメラ部６０にダイレクトにアクセスして操作を行う形態とすることもできる。なお、この場合、携帯電話機３０とカメラ部６０との間で相互通信を行う必要があるが、この際の相互通信としては、一例としてブルートゥース（Bluetooth）による無線通信を適用することができる。なお、ブルートゥースは、２．４ＧＨｚ帯を使用した免許不要の無線伝送規格であり、およそ１０ｍ以内の範囲でデータ信号の授受ができるものである。この場合、携帯電話機３０及び各カメラ部６０を、各々ブルートゥースの規格に従った通信が可能なように構成することになる。この場合、サーバ装置２０を設けることなく撮影システム１０を構成することができるので、本実施の形態に比較して低コストに撮影システム１０を構成することができる。
【０１００】
また、本実施の形態では、ユーザからの撮影指示に応じてカメラ６２による撮影を実行する場合について説明したが、本発明はこれに限定されるものではなく、例えば、撮影対象とするアトラクションがジェットコースター、コーヒーカップ等のユーザを搭乗させた状態で移動する乗り物である場合には、ユーザに対して当該乗り物への搭乗前にカメラ６２に対するズーム倍率等を設定させておき、当該乗り物がカメラ６２による撮影画角内に入ったタイミングで自動的に撮影を実行する形態とすることもできる。なお、この形態の具体的態様としては、撮影対象となり得る各乗り物に対して自身を特定することのできる識別情報を示すバーコードを設けておき、当該バーコードを搭乗前に携帯電話機３０にて撮影させてデコードし、これによって得られた識別情報をサーバ装置２０に送信することでサーバ装置２０に対して撮影対象とする乗り物を特定させ、サーバ装置２０によって当該乗り物が予め定められた撮影位置に位置したタイミングでカメラ６２に対して撮影処理の実行指示を送信することにより自動的に撮影を実行する形態を例示することができる。この場合、シャッターチャンスを逃す事態の発生を回避することができる。
【０１０１】
また、本実施の形態では、カメラ６２にてエッジ強調処理やシャープネス処理等の各種画像処理を施した後の画像データをサーバ装置２０に送信する場合について説明したが、本発明はこれに限定されるものではなく、例えば、カメラ６２に対し撮影によって得られた生の画像情報（所謂ＲＡＷデータ）をサーバ装置２０に対して送信する機能を備え、サーバ装置２０においてカメラ６２から入力されたＲＡＷデータに対して各種画像処理を施す形態とすることもできる。この場合、カメラ６２に画像処理部６２Ｉや、画像圧縮伸張部６２Ｊを設ける必要がなくなるので、カメラ６２を低コストのものとすることができる。
【０１０２】
また、本実施の形態では、本発明をテーマパークの複数のアトラクションにおいて撮影を行う撮影システムに適用した場合について説明したが、本発明はこれに限定されるものではなく、例えば、観光地、動物園、遊園地等の他の場所において撮影を行う撮影システムに適用する形態とすることもできる。この場合も、本実施の形態と同様の効果を奏することができる。
【０１０３】
また、本実施の形態では、撮影システム１０の運営者がネットワーク１２上で公開しているホームページを介してサーバ装置２０にアクセスする場合について説明したが、本発明はこれに限定されるものではなく、例えば、サーバ装置２０のＵＲＬを示すバーコードをテーマパークの入場口、各アトラクションの入場口等の要所に設けておき、当該バーコードを携帯電話機３０にて撮影してデコードし、これによって得られたＵＲＬに対してアクセスすることによりサーバ装置２０にアクセスする形態とすることもできる。この場合、上記ホームページにアクセスするための操作が必要なくなるので、より利便性を向上させることができる。
【０１０４】
その他、本実施の形態で説明した撮影システム１０、サーバ装置２０、携帯電話機３０、及びカメラ６２の構成（図１〜図４，図６，図７参照。）は一例であり、本発明の主旨を逸脱しない範囲内において適宜変更可能であることは言うまでもない。
【０１０５】
また、本実施の形態で示した各種データベースのデータ構造（図５参照。）も一例であり、本発明の主旨を逸脱しない範囲内において適宜変更可能であることは言うまでもない。
【０１０６】
また、本実施の形態で示した各種プログラムの処理の流れ（図８，図１０，図１４参照。）も一例であり、本発明の主旨を逸脱しない範囲内において適宜変更可能であることは言うまでもない。
【０１０７】
更に、本実施の形態で示した各種画面の表示状態（図９，図１１〜図１３参照。）も一例であり、本発明の主旨を逸脱しない範囲内において適宜変更可能であることは言うまでもない。
【図面の簡単な説明】
【０１０８】
【図１】実施の形態に係る撮影システムの全体構成を示す模式図である。
【図２】実施の形態に係るカメラ部の設置状態の一例を示す概略図である。
【図３】実施の形態に係るサーバ装置の電気系の要部構成を示すブロック図である。
【図４】実施の形態に係るサーバ装置に備えられたハードディスクの主な記憶内容を示す模式図である。
【図５】（Ａ）は実施の形態に係るユーザ管理データベースのデータ構造を示す模式図であり、（Ｂ）は実施の形態に係るカメラ管理データベースのデータ構造を示す模式図であり、（Ｃ）は実施の形態に係るユーザ撮影画像管理データベースのデータ構造を示す模式図であり、（Ｄ）は実施の形態に係る定期撮影画像管理データベースのデータ構造を示す模式図である。
【図６】実施の形態に係る携帯電話機の電気系の要部構成を示すブロック図である。
【図７】実施の形態に係るカメラの電気系の要部構成を示すブロック図である。
【図８】実施の形態に係るユーザ登録処理プログラムの処理の流れを示すフローチャートである。
【図９】実施の形態に係るユーザ情報登録画面の表示状態例を示す概略図である。
【図１０】実施の形態に係る撮影処理プログラムの処理の流れを示すフローチャートである。
【図１１】実施の形態に係るユーザ情報入力画面の表示状態例を示す概略図である。
【図１２】実施の形態に係る使用法提示画面の表示状態例を示す概略図である。
【図１３】実施の形態に係る携帯電話機による撮影画像の表示状態例を示す概略図である。
【図１４】実施の形態に係る定期撮影処理プログラムの処理の流れを示すフローチャートである。
【符号の説明】
【０１０９】
１０    撮影システム
１２    ネットワーク
２０    サーバ装置（撮影制御装置）
２０Ａ    ＣＰＵ（制御手段）
２０Ｄ    ハードディスク（記憶手段）
２０Ｇ    入出力ポート（受信手段、入力手段、送信手段）
３０    携帯電話機（通信端末装置）
３０Ａ    ＣＰＵ
３０Ｄ    通信制御部（指示送信手段、画像取得手段）
３０Ｇ    表示部（表示手段）
３０Ｉ    ＧＰＳ制御回路（位置特定手段）
４０    クライアント装置（画像印刷装置）
４０Ａ    入出力ポート（画像読出手段）
４２    プリント作成装置（印刷手段）
ＤＢ１    ユーザ管理データベース
ＤＢ２    カメラ管理データベース
ＤＢ３    ユーザ撮影画像管理データベース
ＤＢ４    定期撮影画像管理データベース
【図１】
2007096855.tif 000003
【図２】
2007096855.tif 000004
【図３】
2007096855.tif 000005
【図４】
2007096855.tif 000006
【図５】
2007096855.tif 000007
【図６】
2007096855.tif 000008
【図７】
2007096855.tif 000009
【図８】
2007096855.tif 000010
【図９】
2007096855.tif 000011
【図１０】
2007096855.tif 000012
【図１１】
2007096855.tif 000013
【図１２】
2007096855.tif 000014
【図１３】
2007096855.tif 000015
【図１４】
2007096855.tif 000016